(57)【特許請求の範囲】
【請求項１】
底面及び該底面より起立した周壁を有する容器状食器を、対をなす雄型と雌型とにより成形する成形型であって、
前記容器状食器の前記底面を形成する底面形成部と、前記容器状食器の前記周壁を形成する周壁形成部とを、前記雄型及び前記雌型に形成するとともに、前記底面形成部を、前記雄型を前記雌型から抜く型抜き方向に対して傾斜して設定し、前記周壁形成部における対向した部位に、前記底面形成部に対して鋭角を成す鋭角部と鈍角を成す鈍角部とを形成したことを特徴とする容器状食器の成形型。
【請求項２】
容器状食器の底面と該底面より起立した周壁とが、対をなす雄型及び雌型からなる成形型により成形される製造方法であって、
前記底面を形成する底面形成部が、前記雄型を前記雌型から抜く型抜き方向に対して傾斜して設定されるとともに、前記周壁を形成する周壁形成部における対向した部位に、前記底面形成部に対して鋭角を成す鋭角部と鈍角を成す鈍角部とが形成された成形型を用いて成形することを特徴とする容器状食器の製造方法。
【発明の詳細な説明】
【０００１】
【発明の属する技術分野】
本発明は、飲食物が収容される容器状の食器を成形する容器状食器の成形型及び容器状食器の製造方法に関する。
【０００２】
【従来の技術】
従来、サラダ等の食べ物を盛りつける際には、例えば、皿が使用されていた。
【０００３】
この皿に盛りつけられた食べ物を食する際には、健常者においては、箸を使用することにより、皿に盛りつけられた食べ物を容易に取ることができるが、手の不自由な身障者にあっては困難であるため、スプーンを使用することが多い。
【０００４】
しかし、通常の皿にあっては、平たく形成されているため、皿に盛りつけられた食べ物をスプーンで掬おうとした場合、食べ物が皿の縁から落ちてしまうことがある。これを防止するために、周壁が所定の高さ有する容器状食器としての深皿が用いられていた。
【０００５】
【発明が解決しようとする課題】
しかしながら、前述した深皿にあっては、その周壁が、上方へ向かうに従って外方へ広がるように形成されているため、スプーンで掬おうとする食べ物が、皿の周壁に沿って上方へ移動してしまうことがある。この場合、スプーンで掬おうとした食べ物が、周壁を越えて深皿から落ちてしまうことがある。
【０００６】
本発明は、このような従来の課題に鑑みてなされたものであり、食べ物の落下を防止することができる容器状の食器を成形する容器状食器の成形型及び容器状食器の製造方法を提供することを目的とする。
【０００７】
【課題を解決するための手段】
前記課題を解決するために本発明の容器状食器の成形型においては、底面及び該底面より起立した周壁を有する容器状食器を、対をなす雄型と雌型とにより成形する成形型であって、前記容器状食器の前記底面を形成する底面形成部と、前記容器状食器の前記周壁を形成する周壁形成部とを、前記雄型及び前記雌型に形成するとともに、前記底面形成部を、前記雄型を前記雌型から抜く型抜き方向に対して傾斜して設定し、前記周壁形成部における対向した部位に、前記底面形成部に対して鋭角を成す鋭角部と鈍角を成す鈍角部とを形成した。
【０００８】
すなわち、雄型及び雌型からなる成形型には、容器状食器の底面を形成する底面形成部が、前記雄型を前記雌型から抜く型抜き方向に対して傾斜して設定されている。これにより、前記周壁を形成する周壁形成部における対向した部位に、前記底面形成部に対して鋭角を成す鋭角部と、鈍角を成す鈍角部との形成が可能となり、この成形型を用いて成形される容器状食器の周壁には、前記底面に対して鋭角に起立する鋭角部が形成される。
【０００９】
また、本発明の容器状食器の製造方法においては、容器状食器の底面と該底面より起立した周壁とが、対をなす雄型及び雌型からなる成形型により成形される製造方法であって、前記底面を形成する底面形成部が、前記雄型を前記雌型から抜く型抜き方向に対して傾斜して設定されるとともに、前記周壁を形成する周壁形成部における対向した部位に、前記底面形成部に対して鋭角を成す鋭角部と鈍角を成す鈍角部とが形成された成形型を用いて成形する。
【００１０】
すなわち、雄型及び雌型からなる成形型には、容器状食器の底面を形成する底面形成部が、前記雄型を前記雌型から抜く型抜き方向に対して傾斜して設定されており、前記周壁を形成する周壁形成部における対向した部位に、前記底面形成部に対して鋭角を成す鋭角部と、鈍角を成す鈍角部との形成が可能となる。そして、この成形型を用いて成形される容器状食器の周壁には、前記底面に対して鋭角に起立する鋭角部が形成される。
【００１１】
【実施の形態】
（第１の実施の形態）
以下、本発明の第１の実施の形態を図面にしたがって説明する。図１は、本実施の形態にかかる容器状食器としての皿１を示す図であり、該皿１は、合成樹脂により形成されている。
【００１２】
この皿１は、長方形状に形成された底面５と、該底面５の周縁より起立した周壁６と、該周壁６の上縁より側方へ延出した縁部７とにより形成されている。前記周壁６は、前記底面５の短辺より起立した相対向する短辺起立部８，８と、前記底面５の長辺より起立した相対向する長辺起立部９，９とからなり、前記両短辺起立部８，８は、図２にも示すように、前記底面５に対して一方へ向けて傾斜して形成されている。これにより、両短辺起立部８，８の一方には、前記底面５に対して鋭角を成す鋭角部１１が形成されており、他方には、前記底面５に対して鈍角を成す鈍角部１２が形成されている。そして、前記両長辺起立部９，９は、図３にも示すように、上方へ向かうに従って外方へ広がるように形成されている。
【００１３】
この皿１は、図４に示すように、雄型２１及び雌型２２からなる成形型としての成形金型２３を用いた射出成形により形成されている。前記雌型２２には、前記皿１の形状に合わせた凹部２４が形成されており、前記雄型２１には、前記皿１の形状に合わせて突出するとともに、前記雌型２１に前記雄型２２が型合わせされた際に、前記凹部２４へ挿入される凸部２５が形成されている。前記雌型２２の凹部２４には、前記皿１の底面５を形成する雌側底面形成部２６が形成されており、該雌側底面形成部２６は、型合わせされた前記雄型２１を前記雌型２２から抜く型抜き方向２７に対して傾斜して設定されている。
【００１４】
また、前記雌型２２の凹部２４には、前記皿１の周壁６を形成する雌側周壁形成部３１が形成されており、該雌側周壁形成部３１は、前記周壁６における前記短辺起立部８，８に対応した雌側短辺形成部３２，３２と、前記周壁６の前記長辺起立部９，９に対応した雌側長辺形成部とにより構成されている（雌側短辺形成部３２，３２のみ図示）。前記両雌側短辺形成部３２，３２は、前記型抜き方向２７に沿って平行に、あるいは、やや広がるように設定されており、前記雄型２１の前記型抜き方向２７への移動が容易となるように構成されている。これにより、前記雌側周壁形成部３１において対向した前記雌側短辺形成部３２，３２の一方は、前記雌側底面形成部２６に対して鋭角を成すとともに、他方は、雌側底面形成部２６に対して鈍角を成しており、前記雌型２２の凹部２４には、前記雌側底面形成部２６に対して鋭角を成す雌側鋭角部３５と、前記雌型底面形成部２６に対して鈍角を成す雌側鈍角部３６とが形成されている。そして、前記雌型２１には、前記皿１の前記縁部７を形成する雌側縁形成部３７が、前記雌側周壁形成部３１に連続して形成されている。
【００１５】
一方、前記雄型２１の凸部２５は、前記雌型２２の凹部２４に適合した形状に形成されており、前記雄型２１を前記雌型２２に型合わせした状態で、前記雄型２１及び該雄型２１の凸部２５と、前記雌型２２及び該雌型２２の凹部２４との間に、前記皿１を形成する樹脂が圧入される圧入空間４１が形成されるように構成されている。すなわち、前記凸部２５には、前記雌側底面形成部２６に対向する雄側底面形成部４２が形成されており、該雄側底面形成部４２も、前記型抜き方向２７に対して傾斜して設定されている。また、前記雄型２１の凸部２５には、前記雌側周壁形成部３１に対向した雄側周壁形成部４３が形成されており、該雄側周壁形成部４３は、前記雌側短辺形成部３２，３２に対向した雄側短辺形成部４４，４４と、前記雌側長辺形成部に対向した雄側長辺形成部とにより構成されている（雄側短辺形成部４４，４４のみ図示）。前記両雄側短辺形成部４４，４４は、前記雌側短辺形成部３２，３２に平行して形成されており、前記雄側周壁形成部４３において対向した前記雄側短辺形成部４４，４４の一方は、前記雄側底面形成部４２に対して鋭角を成すとともに、他方は、前記雄側底面形成部４２に対して鈍角を成し、前記雄型２１の凸部２５には、前記雄側底面形成部４２に対して鋭角を成す雄側鋭角部４５と、前記雄型底面形成部４２に対して鈍角を成す雄側鈍角部４６とが形成されている。そして、前記雄型２１には、前記雌側縁形成部３７に対向する雄側縁部形成部４７が、前記雄側周壁形成部４３に連続して形成されている。
【００１６】
以上の構成にかかる本実施の形態において、容器状食器としての皿１を成形する際には、先ず、図４に示したように、雌型２２に雄型２１を型合わせするとともに、両型２１，２２の間に形成された圧入空間４１に樹脂を圧入する。このとき、前記雄型２１及び雌型２２からなる成形金型２３には、前記皿１の底面５を形成する雌側及び雄側底面形成部２６，４２が、前記雄型２１を前記雌型２２から抜く型抜き方向２７に対して傾斜して設定されている。これにより、前記皿１の周壁６を形成する雌側及び雄側周壁形成部３１，４３において対向した雌側及び雄側短辺形成部３２，３２，４４，４４には、前記雌側及び雄側底面形成部２６，４２に対して鋭角を成す雌側及び雄側鋭角部３５，４５と、鈍角を成す雌側及び雄側鈍角部３６，４６との形成が可能となり、この成形金型２３を用いて成形される皿１の周壁６に、前記底面５に対して鋭角に起立する短辺起立部８を形成することができる。
【００１７】
これにより、スライド中子を用いることなく、前記皿１の周壁６に鋭角部１１を形成することができるので、図２に示したように、この皿１に収容された食べ物６１をスプーン６２で掬う際に、前記食べ物６１を、前記スプーン６２にて前記周壁６における短辺起立部８の鋭角部１１側へ寄せることにより、スプーン６２上へ戻すことができる。
【００１８】
したがって、前記雌側及び雄側底面形成部２６，４２が、前記型抜き方向２７に対して直角に設定された場合のように、前記皿１の周壁６を形成する雌側及び雄側周壁形成部３１，４３を、前記雌側及び雄側底面形成部２６，４２に対して直角あるいは鈍角に設定しなければ、前記雌型２２から前記雄型２１を抜くことができなくなるため、皿１の周壁６を、上方へ向かうに従って外方へ広がるように形成しなければならなかった従来のように、スプーン６２で掬おうとする食べ物６１が、皿１の周壁６に沿って上方へ移動してしまい、周壁６を越えて落下してしまうような不具合を未然に防止することができる。
【００１９】
なお、本実施の形態にあっては、雄型２１及び雌型２２からなる成形金型２３を用いて皿１を射出成形する場合を例に挙げて説明したが、これに限定されるものではなく、例えば、前記成形金型２３により形成した粘土を焼いて陶器の皿１を形成したり、前記成形金型２３により金属板をプレスして金属製の皿１を形成しても良い。
【００２０】
また、本実施の形態においては、成形型として金属製の成形金型２３を例に挙げて説明したが、これに限定されるものではなく、例えば、石膏型や木型であっても良い。
【００２１】
さらに、本実施の形態では、長方形状の皿１を成形した場合を例に挙げて説明したが、この形状に限定されるものではなく、楕円形や円形に成形しても良い。
【００２２】
（第２の実施の形態）
すなわち、図５は、本発明の第２の実施の形態を示す図であり、円形の容器状食器としての皿７１が示されている。
【００２３】
この皿７１は、円板状の底面７２と、該底面７２の周縁より傾斜して起立した周壁７３と、該周壁７３の上縁より側方へ延出した縁部７４とにより形成されている。前記周壁７３における所定の部位には、図６にも示すように、前記底面７２に対して一方へ向けて傾斜して形成されており、前記皿７１には、前記底面７２に対して鋭角を成す鋭角部７５と、鈍角を成す鈍角部７６とが形成されている。そして、前記鋭角部７５を前記鈍角部７６とを結ぶ線に直交する前記周壁７３の部位は、図７にも示すように、前記底面７２に対して垂直に起立するように形成されている。
【００２４】
この皿７１は、図８に示すように、雄型８１及び雌型８２からなる成形型としての成形金型８３を用いた射出成形により形成されている。前記雌型８２には、前記皿７１の形状に合わせた凹部８４が形成されており、前記雄型８１には、前記皿７１の形状に合わせて突出する凸部８５が形成されている。前記雌型８２の凹部８４には、前記皿７１の底面７２を形成する雌側底面形成部８６が形成されており、該雌側底面形成部８６は、型合わせされた前記雄型８１を前記雌型８２から抜く型抜き方向８７に対して傾斜して設定されている。
【００２５】
また、前記雌型８２の凹部８４には、前記皿７１の周壁７３を形成する雌側周壁形成部９１が形成されており、該雌側周壁形成部９１は、前記型抜き方向８７に沿って平行に、あるいは、やや広がるように設定され、前記雄型８１の前記型抜き方向８７への移動が容易となるように構成されている。これにより、前記雌側周壁形成部９１にて対向した一方側は、前記雌側底面形成部８６に対して鋭角を成すとともに、他方側は、雌側底面形成部８６に対して鈍角を成しており、前記雌型８２の凹部８４には、前記雌側底面形成部８６に対して鋭角を成す雌側鋭角部９５と、前記雌型底面形成部８６に対して鈍角を成す雌側鈍角部９６とが形成されている。そして、前記雌型８２には、前記皿７１の前記縁部７４を形成する雌側縁形成部９７が、前記雌側周壁形成部９１に連続して形成されている。
【００２６】
一方、前記雄型８１の凸部８５は、前記雌型８２の凹部８４に適合した形状に形成されており、前記雄型８１を前記雌型８２に型合わせした状態で、前記雄型８１及び該雄型８１の凸部８５と、前記雌型８２及び該雌型８２の凹部８４との間に、前記皿７１を形成する樹脂が圧入される圧入空間１０１が形成されるように構成されている。すなわち、前記凸部８５には、前記雌側底面形成部８６に対向する雄側底面形成部１０２が形成されており、該雄側底面形成部１０２も、前記型抜き方向８７に対して傾斜して設定されている。また、前記雄型８１の凸部８５には、前記雌側周壁形成部９１に対向した雄側周壁形成部１０３が形成されており、該雄側周壁形成部１０３における対向した部位の一方側は、前記雄側底面形成部１０２に対して鋭角を成すとともに、他方側は、前記雄側底面形成部１０２に対して鈍角を成し、前記雄型８１の凸部８５には、前記雄側底面形成部１０２に対して鋭角を成す雄側鋭角部１０５と、前記雄型底面形成部１０２に対して鈍角を成す雄側鈍角部１０６とが形成されている。そして、前記雄型８１には、前記雌側縁形成部９７に対向する雄側縁部形成部１０７が、前記雄側周壁形成部１０３に連続して形成されている。
【００２７】
以上の構成にかかる本実施の形態において、容器状食器としての皿７１を成形する際には、図８に示したように、雌型８２に雄型８１を型合わせするとともに、第１の実施の形態と同様に、両型８１，８２の間に形成された圧入空間１０１に樹脂を圧入する。このとき、前記雄型８１及び雌型８２からなる成形金型８３には、前記皿７１の底面７２を形成する雌側及び雄側底面形成部８６，１０２が、前記雄型８１を前記雌型８２から抜く型抜き方向８７に対して傾斜して設定されている。これにより、前記皿７１の周壁７３を形成する雌側及び雄側周壁形成部９１，１０３における対向した部位には、前記雌側及び雄側底面形成部８６，１０２に対して鋭角を成す雌側及び雄側鋭角部９５，１０５と、鈍角を成す雌側及び雄側鈍角部９６，１０６との形成が可能となり、この成形金型８３を用いて成形される皿７１の周壁７３に、スライド中子を用いることなく、前記底面７２に対して鋭角を成す鋭角部７５を形成することができる。
【００２８】
したがって、図６に示したように、この皿７１に収容された食べ物１１１をスプーン１１２で掬う際に、前記食べ物１１１を、前記スプーン１１２にて前記周壁７３における前記鋭角部７５側へ寄せることにより、スプーン１１２上へ戻すことができるので、第１の実施の形態と同様に、前記皿７１からの食べ物１１１の不用意な落下を防止することができる。
【００２９】
【発明の効果】
以上説明したように本発明の容器状食器の成形型にあっては、雄型及び雌型からなる成形型に、容器状食器の底面を形成する底面形成部を、前記雄型を前記雌型から抜く型抜き方向に対して傾斜して設定することによって、前記容器状食器の周壁を形成する周壁形成部の対向した部位に、前記底面形成部に対して鋭角を成す鋭角部の形成が可能となり、この成形型を用いて成形される容器状食器の周壁に、スライド中子等を用いることなく、前記底面に対して鋭角に起立する鋭角部を形成することができる。
【００３０】
これにより、この容器状食器に収容された食べ物をスプーンで掬う際に、前記食べ物を、前記スプーンにて前記周壁の鋭角部側へ寄せることにより、スプーン上へ戻すことができるので、前記容器状食器からの食べ物の不用意な落下を防止することができる。
【００３１】
また、本発明の容器状食器の製造方法にあっても前述と同様に、雄型及び雌型からなる成形型に、容器状食器の底面を形成する底面形成部を、前記雄型を前記雌型から抜く型抜き方向に対して傾斜して設定することにより、前記容器状食器の周壁を形成する周壁形成部の対向した部位に、前記底面形成部に対して鋭角を成す鋭角部の形成が可能となり、この成形型を用いて成形される容器状食器の周壁に、スライド中子等を用いることなく、前記底面に対して鋭角に起立する鋭角部を形成することができる。
【００３２】
よって、この容器状食器に収容された食べ物をスプーンで掬う際に、前記食べ物を、前記スプーンにて前記周壁の鋭角部側へ寄せることにより、スプーン上へ戻すことができるので、前記容器状食器からの食べ物の不用意な落下を防止することができる。
【００３３】
【図面の簡単な説明】
【図１】本発明の第１の実施の形態における皿を示す斜視図である。
【図２】図１のＡ−Ａ断面図である。
【図３】図１のＢ−Ｂ断面図である。
【図４】同実施の形態にかかる皿を成形する状態を示す要部の断面図である。
【図５】本発明の第２の実施の形態における皿を示す斜視図である。
【図６】図５のＣ−Ｃ断面図である。
【図７】図５のＤ−Ｄ断面図である。
【図８】同実施の形態にかかる皿を成形する状態を示す要部の断面図である。
【符号の説明】
１    皿（容器状食器）
５    底面
６    周壁
１１    鋭角部
１２    鈍角部
２１    雄型
２２    雌型
２３    成形金型（成形型）
２４    凹部
２５    凸部
２６    雌側底面形成部
２７    型抜き方向
３１    雌側周壁形成部
３５    雌側鋭角部
３６    雌側鈍角部
４２    雄側底面形成部
４３    雄側周壁形成部
４５    雄側鋭角部
４６    雄側鈍角部
７１    皿（容器状食器）
７２    底面
７３    周壁
７５    鋭角部
７６    鈍角部
８１    雄型
８２    雌型
８３    成形金型（成形型）
８４    凹部
８５    凸部
８６    雌側底面形成部
８７    型抜き方向
９１    雌側周壁形成部
９５    雌側鋭角部
９６    雌側鈍角部
１０２    雄側底面形成部
１０３    雄側周壁形成部
１０５    雄側鋭角部
１０６    雄側鈍角部
【図１】
0003834156.tif 000002
【図２】
0003834156.tif 000003
【図３】
0003834156.tif 000004
【図４】
0003834156.tif 000005
【図５】
0003834156.tif 000006
【図６】
0003834156.tif 000007
【図７】
0003834156.tif 000008
【図８】
0003834156.tif 000009